(57)【要約】【課題】水田や蓮根田等の足場の悪い圃場を走行しながら施肥作業を行なう湿田用施肥作業機の前後バランスの改善と、圃場周辺への肥料の流出による環境面への悪影響を軽減させる。【解決手段】走行部１を有する走行機体２に連結して作業者が搭乗する搭乗部３の後部に、圃場の土中に没入する施肥位置Ａと圃場の表面から上方に退避する格納位置Ｂとに姿勢変更可能な施肥ノズル８ａ〜８ｄを設けると共に、この施肥ノズル８ａ〜８ｄの施肥位置Ａにおける施肥深さを複数段に調整できるように構成した。【選択図】図１
2009195181.tif 000002
【特許請求の範囲】
【請求項１】
走行部（１）を有する走行機体（２）と、該走行機体（２）の後方に連結して作業者が搭乗する搭乗部（３）と、圃場に肥料を施肥する施肥ノズル（８ａ〜８ｄ）と、該施肥ノズル（８ａ〜８ｄ）に肥料を供給する肥料供給装置（７）を走行機体（２）側に備えて、圃場を走行しながら施肥作業を行なうことができる湿田用施肥作業機において、前記搭乗部（３）に、圃場の土中に没入する施肥位置（Ａ）と圃場の表面から上方に退避する格納位置（Ｂ）とに姿勢変更可能な施肥ノズル（８ａ〜８ｄ）を設けたことを特徴とする湿田用施肥作業機。
【請求項２】
前記施肥ノズル（８ａ〜８ｄ）を搭乗部（３）の後部に設けた請求項１に記載の湿田用施肥作業機。
【発明の詳細な説明】
【技術分野】
【０００１】
本発明は、水田や蓮根田等の足場の悪い圃場を走行しながら施肥作業を行なうことができる湿田用施肥作業機に関する。
【背景技術】
【０００２】
従来、水田や蓮根田等の足場の悪い圃場における作業負荷を軽減させるために、走行部を有する走行機体と、走行機体に連結して作業者が搭乗する搭乗部と、圃場に接する浮船に支持して肥料を散布する施肥部と、施肥部に肥料を供給する肥料供給装置とを備えて、圃場を走行しながら施肥作業を行なう施肥作業機が知られている（例えば、特許文献１参照）。
【特許文献１】特開２００４−５７０８２号公報（第３−４頁、図１〜図３）
【発明の開示】
【発明が解決しようとする課題】
【０００３】
しかし、上述した特許文献１の施肥作業機は、走行機体の後方に設けた搭乗部の後方に、施肥部と該施肥部に肥料を供給する肥料供給装置とを備えた重量の重い施肥装置を連結しており、施肥作業機全体の重心位置が必然的に後寄りの後バランスとなって作業走行時の安定性が悪くなるといった欠点を有していた。また、前記施肥装置は、代掻き作業がなされた後の圃場に肥料を散布するものであり、圃場の土中に肥料が混入するまでの時間が長くかかることから、圃場周辺への肥料の流出による環境面への悪影響も懸念されていた。
【課題を解決するための手段】
【０００４】
本発明は、上記課題を解決することを目的としたものであって、走行部を有する走行機体と、該走行機体の後方に連結して作業者が搭乗する搭乗部と、圃場に肥料を施肥する施肥ノズルと、該施肥ノズルに肥料を供給する肥料供給装置を走行機体側に備えて、圃場を走行しながら施肥作業を行なうことができる湿田用施肥作業機において、前記搭乗部に、圃場の土中に没入する施肥位置と圃場の表面から上方に退避する格納位置とに姿勢変更可能な施肥ノズルを設けたことを第１の特徴としている。
そして、前記施肥ノズルを搭乗部の後部に設けたことを第２の特徴としている。
【発明の効果】
【０００５】
請求項１の発明によれば、走行機体に連結して作業者が搭乗する搭乗部に、圃場の土中に没入する施肥位置と圃場の表面から上方に退避する格納位置とに姿勢変更可能な施肥ノズルを設けたことによって、湿田用施肥作業機全体の前後バランスが改善されて安定した作業走行が可能になると共に、施肥ノズルが圃場の土中に没入する施肥位置において肥料の施肥を行なうことにより、当該土中への肥料の混入が促進されるので圃場周辺への肥料の流出による環境面への悪影響が軽減できる。また、湿田用施肥作業機を圃場へ出し入れする際は、施肥ノズルを施肥位置から格納位置に姿勢変更するだけの簡単な操作によって、施肥ノズルの先端側が圃場の進退路と干渉することを回避できる。
そして、請求項２の発明によれば、前記施肥ノズルを搭乗部の後部に設けたことによって、圃場面に対する施肥ノズルの後下がり傾斜角度を極力小さくすることができ、それにより当該施肥ノズルに夾雑物が巻き付き難くなるので走行抵抗の低減が図れる。
【発明を実施するための最良の形態】
【０００６】
以下、本発明の実施形態を図面に基づいて説明する。図１及び図２は、本発明を適用した湿田用施肥作業機の側面図と平面図であって、この湿田用施肥作業機は、走行部１を有する走行機体２と、走行機体２に連結して作業者が搭乗する搭乗部３と、搭乗部３の後部に施肥位置Ａと格納位置Ｂとに姿勢変更可能に設けた施肥部４と、施肥部４に肥料を供給する施肥ポンプ６等からなる肥料供給装置７とを備え、水田や蓮根の栽培圃場のような軟弱で泥濘した圃場を走行しながら施肥作業を行うことができる。
【０００７】
上述した肥料供給装置７は、施肥部４を構成する所定の左右間隔で配置した４本（複数）の施肥ノズル８ａ〜８ｄと、肥料を貯蔵する左右の肥料タンク９と、両肥料タンク９内の肥料を施肥ノズル８ａ〜８ｄに供給する肥料供給装置である施肥ポンプ６と、両肥料タンク９から施肥ポンプ６に肥料を移送する移送パイプ１１と、施肥ポンプ６から施肥ノズル８ａ〜８ｄに肥料を移送する施肥パイプ１２ａ〜１２ｄ等を備えている。
【０００８】
また、走行機体２は、主フレーム１３と、主フレーム１３に搭載したエンジン１４と、
エンジン１４の動力を後方のミッションケース１５に伝達するベルト伝動装置１６とを備え、ミッションケース１５内の変速機構を介して変速した動力を走行部である左右の車輪１，１と施肥ポンプ６とに伝達できるように構成している。
【０００９】
そして、主フレーム１３の後端には、側面視で逆コ字状の後側が開口する連結部材１３ａを設けている。この連結部材１３ａには、該連結部材１３ａに対向した状態で内嵌する側面視でコ字状の装着部１７ａを有して後方に延出するパイプ材からなる縦フレーム１７を連結してあり、この縦フレーム１７の後端に上述の搭乗部３を連結できるように構成している。尚、前記連結部材１３ａと装着部１７ａとは、両者１３ａ，１７ａに挿通する図示しない連結ピンを用いて連結固定されている。
【００１０】
更に詳しくは、搭乗部３は、前後方向に長い平面視で略長方形の箱形部材からなり、全体が浮船としても機能する。そして、搭乗部３の前側には、パイプ材１８を横設すると共に、このパイプ材１８中央には、縦フレーム１７の後端に設けたボス１７ｂに自在に挿通する縦軸１９を立設してあり、該縦軸１９をボス１７ｂに対して挿通自在に寸法管理することによって、施肥作業を行う際に圃場面に対してある程度没入する搭乗部３の所定範囲の上下動を許容できるように構成している。
【００１１】
また、搭乗部３は、走行機体２の旋回に伴って縦フレーム１７の後端に設けたボス１７ｂを支点として回動するが、縦軸１９の中途部に螺設したボルト２１と、ボス１７ｂの下部に一体的に固設した左右一対のストッパ２２との当接により、走行機体２が旋回する際に搭乗部３が不要に回動しないように規制している。
【００１２】
また、ミッションケース１５の下部から左右に突出する車軸２３には、左右の車輪１，１を装着してある。両車輪１，１は、大径且つ左右幅の広い中空状の籠車輪であって、その外周に羽根ラグ１ａを複数設けると共に内部に浮き輪１ｂを内装することによって走行機体２の浮力アップを図っている。
【００１３】
そして、ミッションケース１５の上部には、ハンドルブラケット２４が設置してあり、
このハンドルブラケット１４から後方斜め上方に延びる平面視で略トライアングル状に形成した操縦ハンドル２５を設けている。更にミッションケース１５の上部後側には、施肥ポンプ６を装着するための支持ステー２６を後方に延設している。
【００１４】
また、主フレーム１３の前端には、左右の肥料タンク９を支持するための角パイプからなるベース部材２７が横設してあり、このベース部材２７の両端から立設した平面視で略ハの字形に形成した支持ステー２８を介して、走行機体２の前側上部に両肥料タンク９を螺設できるように構成している。
【００１５】
また、施肥ノズル８ａ〜８ｄは、略上下方向に向く短い基端部Ｃの終端から圃場面に対して後下がり傾斜で延出させた長い中途部Ｄと、この中途部の終端から後方に屈曲する短い先端部Ｅからなり、各施肥ノズル８ａ〜８ｄの基端部Ｃには、施肥ポンプ６から延出する施肥パイプ１２ａ〜１２ｄをそれぞれ対応させて接続している。尚、施肥パイプ１２ａ〜１２ｄは、搭乗部３の前側横設したパイプ材１８と、搭乗部３の左右鍔状部３ａ，３ｂを利用して左右に二本ずつ取り纏めて配索してあり、搭乗部３へ作業者が搭乗する際に当該施肥パイプ１２ａ〜１２ｄが邪魔にならないように配慮している。
【００１６】
そして、図２に示すように、４本の施肥ノズル８ａ〜８ｄのうち内側にある２本の施肥ノズル８ｂ，８ｃは、搭乗部３の真後ろに配設すると共に、外側にある２本の施肥ノズル８ａ，８ｄは、搭乗部３の左右鍔状部３ａ，３ｂから外れた外側に配設してある。これら施肥ノズル８ａ〜８ｄは、搭乗部３の後部鍔状部３ｃに固設した支持部材３１の左右両端側に設けた一対のホルダ３２，３２を介して支持されている。
【００１７】
更に詳しくは、施肥ノズル８ａ〜８ｄの基端部Ｃは、ホルダ３２，３２に備えるボス３２ａ，３２ａに内挿して回動自在に支持した長尺のパイプ材３３に所定の左右間隔で取り付けてある。そして、搭乗部３の右鍔状部３ｂの側方には、パイプ材３３に連係（連結）させた操作アーム３４を設けてあり、この操作アーム３４を図中Ｇ矢印で示すように上下に回動操作することによって、施肥ノズル８ａ〜８ｄは、上述のボス３２ａ，３２ａを回動支点として上下に回動する。
【００１８】
即ち、施肥ノズル８ａ〜８ｄは、操作アーム３４を介して図示のごとく圃場の土中に没入する施肥位置Ａと、圃場の表面から上方に退避する格納位置（非施肥位置）Ｂとに上下に姿勢変更することができる。更に施肥位置Ａにおいては、施肥ノズル８ａ〜８ｄの施肥深さを複数段に調整自在に構成している。そして施肥ノズル８ａ〜８ｄの施肥位置Ａと格納位置Ｂ、及び施肥位置Ａにおける複数段の施肥深さの位置決めは、本実施例では、比較的安価に構成できるノッチ切換方式を採用しているが、このノッチ切換方式に変えてノックピンによる切換方式を採用してもよい。また、施肥ポンプ６の入・切操作レバー３５に連動させて施肥ノズル８ａ〜８ｄを施肥位置Ａと格納位置Ｂとに姿勢変更することも可能である。尚、施肥ノズル８ａ〜８ｄを格納位置Ｂに姿勢変更した時は、操作アーム３４は、搭乗部３の右鍔状部３ｂと略平行且つ略同一高さに傾倒しており、搭乗部３へ作業者が搭乗する際に当該操作アーム３４が邪魔にならないように構成している。
【００１９】
以上説明した水田や蓮根田のような軟弱で泥濘した圃場を走行しながら施肥作業を行う湿田用施肥作業機によれば、走行機体２に連結して作業者が搭乗する搭乗部３の後部に、圃場の土中に没入する施肥位置Ａと圃場の表面から上方に退避する格納位置Ｂとに姿勢変更可能な施肥ノズル８ａ〜８ｄを設けたことによって、湿田用施肥作業機全体の前後バランスが改善されて安定した作業走行が可能になると共に、施肥ノズル８ａ〜８ｄが圃場の土中に没入する施肥位置Ａにおいて肥料の施肥を行なうことにより、当該土中への肥料の混入が促進されるので圃場周辺への肥料の流出による環境面への悪影響が軽減できる。また、湿田用施肥作業機を圃場へ出し入れする際は、施肥ノズル８ａ〜８ｄを施肥位置Ａから格納位置Ｂに姿勢変更するだけの簡単な操作によって、施肥ノズル８ａ〜８ｄの先端側が圃場の進退路と干渉することを回避できる。即ち、施肥ノズル８ａ〜８ｄを一々脱着しなくても湿田用施肥作業機の圃場への出し入れをスムーズに行なえる。更に、施肥位置Ａにおける施肥ノズル８ａ〜８ｄの施肥深さを複数段に調整自在に構成しているので施肥深さの細やかな調整も容易に行える。
【００２０】
そして、上述した施肥ノズル８ａ〜８ｄを搭乗部３の後部に設けたことによって、圃場面に対する施肥ノズル８ａ〜８ｄの後下がり傾斜角度を極力小さくすることができ、それにより当該施肥ノズル８ａ〜８ｄに茎等の夾雑物が巻き付き難くなるので走行抵抗の低減が図れる。
【図面の簡単な説明】
【００２１】
【図１】湿田用施肥作業機の左側面図。
【図２】湿田用施肥作業機の平面図。
【符号の説明】
【００２２】
１  走行部
２  走行機体
３  搭乗部
７  肥料供給装置
８ａ〜８ｄ  施肥ノズル
Ａ  施肥位置
Ｂ  格納位置
【図１】
2009195181.tif 000003
【図２】
2009195181.tif 000004